(57)【特許請求の範囲】
【請求項１】
映像ストリームを階層化により分離した後の低階層のサブビットストリーム、及び、高階層のサブビットストリームと低階層のサブビットストリームとの差分であるサブセットのうち、前記低階層のサブビットストリームを含む放送波を受信する放送受信部と、
ネットワークに接続する他の装置と通信する通信部と、
前記サブセットを、前記通信部が受信可能か否かを判定するネットワーク接続判定部と、
前記映像ストリームの映像コンポーネント記述子に第１の値又は第２の値が設定されているかに基づいて、前記映像ストリームが階層化により分離されているか否かを判定する階層符号化判定部と、
を備え、
前記サブセットは、ＭＭＴ（ＭＰＥＧ  Ｍｅｄｉａ  Ｔｒａｎｓｐｏｒｔ）方式におけるストリームとして伝送され、
前記放送波はＭＰＴ（ＭＭＴパッケージテーブル）の記述を含み、
前記ＭＰＴの記述において、時間方向階層符号化の映像ストリームの伝送時には、対象となるストリームごとに送出される記述子が含まれ、
前記ＭＰＴにおいて、前記映像ストリームの前記映像コンポーネント記述子には、前記低階層のサブビットストリームでは前記第１の値、前記サブセットの場合には前記第２の値が設定される
受信装置。
【請求項２】
前記ＭＰＴにおいて、前記サブセットがＩＰｖ４データフロー又はＩＰｖ６データフローのパケットとして伝送されることが記述されており、前記ネットワーク接続判定部が前記サブセットを前記通信部が受信できないと判定した場合に、通知を行う通知処理部と、
をさらに備える
請求項１の記載の受信装置。
【請求項３】
放送波を受信する放送受信部と、ネットワークに接続する他の装置と通信する通信部と、を備える受信装置における受信方法であって、
前記受信装置が、映像ストリームを階層化により分離した後の低階層のサブビットストリーム、及び、高階層のサブビットストリームと低階層のサブビットストリームとの差分であるサブセットのうち、前記低階層のサブビットストリームを含む放送波を受信する放送受信過程と、
前記サブセットを、前記通信部が受信可能か否かを判定するネットワーク接続判定過程と、
前記映像ストリームの映像コンポーネント記述子に第１の値又は第２の値が設定されているかに基づいて、前記映像ストリームが階層化により分離されているか否かを判定する階層符号化判定過程と、
を含む受信方法であって、
前記サブセットは、ＭＭＴ（ＭＰＥＧ  Ｍｅｄｉａ  Ｔｒａｎｓｐｏｒｔ）方式におけるストリームとして伝送され、
前記放送波はＭＰＴ（ＭＭＴパッケージテーブル）の記述を含み、
前記ＭＰＴの記述において、時間方向階層符号化の映像ストリームの伝送時には、対象となるストリームごとに送出される記述子が含まれ、
前記ＭＰＴにおいて、前記映像ストリームの前記映像コンポーネント記述子には、前記低階層のサブビットストリームでは前記第１の値、前記サブセットの場合には前記第２の値が設定される
受信方法。
【請求項４】
放送波を受信する放送受信部と、ネットワークに接続する他の装置と通信する通信部と、を備える受信装置のコンピュータに、
映像ストリームを階層化により分離した後の低階層のサブビットストリーム、及び、高階層のサブビットストリームと低階層のサブビットストリームとの差分であるサブセットのうち、前記低階層のサブビットストリームを含む放送波を受信する放送受信ステップと、
前記サブセットを、前記通信部が受信可能か否かを判定するネットワーク接続判定ステップと、
前記映像ストリームの映像コンポーネント記述子に第１の値又は第２の値が設定されているかに基づいて、前記映像ストリームが階層化により分離されているか否かを判定する階層符号化判定ステップと、
を実行させるためのプログラムであって、
前記サブセットは、ＭＭＴ（ＭＰＥＧ  Ｍｅｄｉａ  Ｔｒａｎｓｐｏｒｔ）方式におけるストリームとして伝送され、
前記放送波はＭＰＴ（ＭＭＴパッケージテーブル）の記述を含み、
前記ＭＰＴの記述において、時間方向階層符号化の映像ストリームの伝送時には、対象となるストリームごとに送出される記述子が含まれ、
前記ＭＰＴにおいて、前記映像ストリームの前記映像コンポーネント記述子には、前記サブビットストリームでは前記第１の値、前記サブセットの場合には前記第２の値が設定される
プログラム。
【発明の詳細な説明】
【技術分野】
【０００１】
本発明は、受信装置、受信方法、及びプログラムに関する。
【背景技術】
【０００２】
近年、高精細度テレビジョン放送（ＨＤＴＶ、High-Definition Television）を超える飛躍的な高画質化に資する映像技術等の研究開発や国際標準化が急速に進展しており、４Ｋ・８Ｋに対応した超高精細度テレビジョン放送（ＵＨＤＴＶ、Ultra High-Definition Television）の実現が期待されている。具体的には、一般社団法人電波産業会（ＡＲＩＢ、Association of Radio Industries and Business）は、超高精細度テレビジョン放送の規格化を進めている。例えば、非特許文献１において、ＨＥＶＣ（High Efficiency Video Coding）規格が規定する方法による時間方向階層符号化について記載されている。
【０００３】
図１２は、非特許文献１における時間方向階層符号化ビットストリームの復号処理の概要を示す図である。この図に示される例において、１２０Ｈｚ対応受信装置は、分離伝送される６０Ｈｚ復号表示用サブビットストリーム（以下、「６０／Ｐサブビットストリーム」と称する。）と１２０Ｈｚ復号表示用サブセット（以下、「１２０／Ｐサブセット」と称する。）とを合成した後、１２０／Ｐビットストリームとして復号し、１２０Ｈｚの復号画像を出力する。これに対して、６０Ｈｚ対応受信装置では、６０／Ｐサブビットストリームのみを抽出して復号し、６０Ｈｚの復号画像を出力することができる。また、超高精細度テレビジョン放送では、６０／Ｐサブビットストリームを放送波により伝送し、１２０／Ｐサブセットをネットワーク（通信路）により伝送することも可能となる。
【先行技術文献】
【非特許文献】
【０００４】
【非特許文献１】「デジタル放送における映像符号化、音声符号化及び多重化方式  標準規格  VIDEO CODING, AUDIO CODING AND MULTIPLEXING SPECIFICATIONS FOR DIGITAL BROADCASTING  ARIB STD-B32  3.0版」，平成２６年（２０１４年）７月３１日，社団法人電波産業会
【発明の概要】
【発明が解決しようとする課題】
【０００５】
ところで、１２０Ｈｚ対応受信装置がネットワークに接続されていない場合、受信装置は、６０／Ｐサブビットストリームのみを抽出して復号し、６０Ｈｚの復号画像を出力する。しかしながら、この場合、受信装置は、６０Ｈｚの復号画像を表示するため、視聴者は、１２０Ｈｚの復号画像が表示されていないことを認識することができない恐れがある。つまり、受信装置は、視聴者によるネットワークとの接続の不備などにより、階層符号化されたコンテンツを高い精細度で表示できない可能性がある。
【０００６】
本発明は上記の点に鑑みてなされたものであり、階層符号化されたコンテンツを高い精細度で表示することができる受信装置、受信方法、及びプログラムを提供する。
【課題を解決するための手段】
【０００７】
（１）本発明は上記の課題を解決するためになされたものであり、本発明の一態様は、コンテンツを階層化により分離した後の複数の差分情報のうち、少なくとも１つの差分情報を含む放送波を受信する放送受信部と、ネットワークに接続する他の装置と通信する通信部と、複数の前記差分情報のうち、前記放送波に含まれる差分情報とは異なる差分情報を、前記通信部が受信可能か否かを判定するネットワーク接続判定部と、である。
【０００８】
（２）また、本発明の一態様は、放送波を受信する放送受信部と、ネットワークに接続する他の装置と通信する通信部と、を備える受信装置における受信方法であって、前記受信装置が、コンテンツを階層化により分離した後の複数の差分情報のうち、少なくとも１つの差分情報を含む前記放送波を受信する放送受信過程と、前記受信装置が、複数の前記差分情報のうち、前記放送波に含まれる差分情報とは異なる差分情報を、前記通信部が受信可能か否かを判定するネットワーク接続判定過程と、を含むことを特徴とする受信方法である。
【０００９】
（３）また、本発明の一態様は、放送波を受信する放送受信部と、ネットワークに接続する他の装置と通信する通信部と、を備える受信装置のコンピュータに、コンテンツを階層化により分離した後の複数の差分情報のうち、少なくとも１つの差分情報を含む前記放送波を受信する放送受信ステップ、複数の前記差分情報のうち、前記放送波に含まれる差分情報とは異なる差分情報を、前記通信部が受信可能か否かを判定するネットワーク接続判定ステップ、を含むことを特徴とするプログラムである。
【発明の効果】
【００１０】
本発明の実施形態によれば、階層符号化されたコンテンツを高い精細度で表示することができる。
【図面の簡単な説明】
【００１１】
【図１】本発明の実施形態に係る放送システムの概略構成を示すブロック図である。
【図２】同実施形態に係る時間方向階層符号化ビットストリームの伝送の概要を示す図である。
【図３】同実施形態に係るＭＭＴパッケージテーブルのデータ構造を示す概略図である。
【図４】同実施形態に係るロケーション情報のデータ構造を示す概略図である。
【図５】同実施形態に係るＭＨ−ＨＥＶＣビデオ記述子のデータ構造を示す概略図である。
【図６】同実施形態に係る映像コンポーネント記述子のデータ構造を示す概略図である。
【図７】同実施形態に係る依存関係記述子のデータ構造を示す概略図である。
【図８】同実施形態に係る受信装置の概略機能構成を示すブロック図である。
【図９】同実施形態に係る受信装置による処理の流れの一例を示すフローチャートである。
【図１０】同実施形態に係る受信装置による階層符号化判定処理の流れの一例を示すフローチャートである。
【図１１】同実施形態に係る受信装置のハードウェア構成の一例を示すブロック図である。
【図１２】従来の受信装置に係る時間方向階層符号化ビットストリームの復号処理の概要を示す図である。
【発明を実施するための形態】
【００１２】
（第１の実施形態）
［放送システムの概要］
以下、図面を参照しながら本発明の実施形態について説明する。
図１は、本実施形態に係る放送システム１の概略構成を示すブロック図である。
本実施形態に係る放送システム１は、階層符号化されたコンテンツを送受信するシステムである。ここで、コンテンツとは、映像（動画像）、静止画像、音声、テキストなどにより構成され、受信装置１０により再生される情報である。以下では、一例として、コンテンツが、フレーム周波数が１２０Ｈｚであり、解像度が８Ｋ（４３２０ｐ、７６８０×４３２０）であるテレビ番組（以下、単に「番組」と称する。）である場合について説明する。また、以下では、一例として、階層符号化が、ＨＥＶＣ技術により行われる時間階層符号化である場合について説明する。また、以下では、一例として、放送システム１がメディアトランスポート方式としてＭＭＴ（MPEG Media Transport）方式を用いる場合について説明する。つまり、放送システム１は、時間方向階層符号化された番組をＭＭＴ方式により送受信するシステムである。
【００１３】
［放送システムの構成］
次に、放送システム１の構成について説明する。
放送システム１は、受信装置１０と、放送側送信装置２０と、通信側送信装置３０とを含んで構成される。また、受信装置１０と通信側送信装置３０とは、ネットワークＮＷに接続されており、双方向の通信を行うことができる。
ネットワークＮＷは、例えば、公衆無線通信網（ＰＬＭＮ、Public Land Mobile Network）、ＰＨＳ（Personal Handy-phone System）網、ＶＰＮ（Virtual Private Network）、専用通信回線、広域通信網（ＷＡＮ、Wide Area Network）、構内通信網（ＬＡＮ、Local Area Network）などのいずれか、又は、これらの組み合わせにより構成される情報通信網である。ネットワークＮＷによる情報の伝送形態は、無線、有線、又はそれらの組み合わせである。以下では、ネットワークＮＷを介した双方向の情報の送受信を、単に「通信」と称する。これに対し、放送側送信装置２０から受信装置１０への一方向の情報の送信を「放送」と称し、上述の「通信」と区別する。
【００１４】
なお、放送システム１において、受信装置１０と、放送側送信装置２０と、通信側送信装置３０とは、それぞれ複数存在しうる。しかし、以下では説明を簡潔にするため、放送システム１において、受信装置１０と、放送側送信装置２０と、通信側送信装置３０とが、それぞれ１つずつ含まれる場合について説明する。
【００１５】
放送システム１に含まれる装置のうち、放送側送信装置２０と、通信側送信装置３０とは、同一の放送事業者により管理される。そして、放送側送信装置２０と、通信側送信装置３０とは、ある１つの番組が時間方向階層符号化により複数に分離された後の差分情報を、それぞれ伝送する。以下では、一例として、ある１つの番組が６０／Ｐサブビットストリームと１２０／Ｐサブセットとの２つに分離される場合について説明する。つまり、６０／Ｐサブビットストリームと１２０／Ｐサブセットとは、差分情報の一例である。６０／Ｐサブビットストリームと１２０／Ｐサブセットとは、アセットの単位で伝送される。換言すると、アセットとは、ＭＭＴ方式におけるデータ単位の１つである。
【００１６】
放送側送信装置２０は、６０／Ｐサブビットストリームｉ１と番組情報ｉ２とを含む放送波を送出することができる。放送側送信装置２０から送信された放送波は、地上波を用いるか、又はケーブルのような有線伝送路を介するか、又は放送衛星ＢＳを介して受信装置１０に伝送される。以下では、放送波が放送衛星ＢＳを介して伝送される場合を例にして説明をする。
ここで、番組情報（伝送制御信号）ｉ２とは、番組の詳細を示す情報である。また、番組情報ｉ２とは、具体的には、ＭＭＴ方式におけるＭＭＴ−ＳＩである。ここで、ＭＭＴ−ＳＩには、例えば、アセットのリストやアセットのネットワーク上の位置など、パッケージを構成する情報を与えるＭＰＴ（ＭＭＴパッケージテーブル）が含まれる。また、ＭＰＴには、アセットのロケーションを示すロケーション情報や依存関係にあるアセットを記述する依存関係記述子などが含まれる。
【００１７】
通信側送信装置３０は、ネットワークＮＷを介して受信装置１０と通信を行うサーバー装置などの電子機器である。通信側送信装置３０は、１２０／Ｐサブセットを示す１２０／Ｐサブセットを受信装置１０に送信する。
【００１８】
受信装置１０は、番組を再生可能な電子機器である。以下では、一例として、受信装置１０とは、テレビジョン受像機（テレビ）であるとして説明する。受信装置１０は、放送（ＢＳ放送）により伝送される６０／Ｐサブビットストリームと、通信（ネットワークＮＷを介する通信）により伝送される１２０／Ｐサブセットとを受信することができる。受信装置１０は、６０／Ｐサブビットストリームと１２０／Ｐサブセットとを受信すると、６０／Ｐサブビットストリームが示す６０／Ｐサブビットストリームと、１２０／Ｐサブセットが示す１２０／Ｐサブセットとを合成し、１２０／Ｐサブビットストリームを生成する。そして、受信装置１０は、生成した１２０／Ｐサブビットストリームに基づいて、時間方向階層符号化が行われる前のフレーム周波数１２０Ｈｚの番組を表示する。
【００１９】
また、本実施形態に係る受信装置１０は、複数の差分情報のうち、ネットワークＮＷを介して伝送される差分情報を受信可能か否かを判定する機能を有する。これにより、受信装置１０は、例えば、受信装置１０とネットワークＮＷとの接続の不具合などにより１２０／Ｐサブセットを受信できない場合に、その旨をユーザに通知することができる。そして、通知を受けたユーザは、受信装置１０とネットワークＮＷとの接続を見直すなどの対応を行うことができるため、受信装置１０は、その番組表示能力を発揮することができる。
【００２０】
[時間方向階層符号化ビットストリームの伝送]
次に、図２を参照して、６０／Ｐサブビットストリームと１２０／Ｐサブセットとの伝送の概要について説明する。
図２は、本実施形態に係る時間方向階層符号化ビットストリームの伝送の概要を示す図である。
【００２１】
まず、パッケージを構成する際、６０／Ｐサブビットストリーム（６０Ｈｚ復号表示用のＨＥＶＣ時間方向サブビットストリーム）と１２０／Ｐサブセット（１２０Ｈｚ復号表示用サブセット）は別々のアセットとする。図２に示す例において、６０／ＰサブビットストリームのアセットはアセットＡである。また、１２０／ＰサブセットのアセットはアセットＢである。別々のアセットであるため、アセットＡとアセットＢのアクセスユニットは、別々のパケット識別情報（パケットＩＤ）のＭＭＴＰ（MMT Protocol）パケットで伝送される。また、１２０／Ｐサブセットのアクセスユニットを含むＭＰＵ（Media Procesing Unit）には、それらのアクセスユニットが属するＧＯＰ（Group Of Pictures）の６０／Ｐサブビットストリームのアクセスユニットを含むＭＰＵと同一のＭＰＵシーケンス番号を付加する。ここで、ＭＰＵとは、映像信号や音声信号の処理における処理単位である。また、ＧＯＰとは、ＭＰＥＧ（Moving Picture Experts Group）において定められている動画を構成している最小の単位構造のことである。時間的に関係のあるＭＰＵを同一のＭＰＵシーケンス番号とすることで、受信装置１０はこれらのアセットが同一のＧＯＰに属するアクセスユニットを含むことを容易に識別することが可能となる。
【００２２】
図２に示す例において、アセットＢの復号は、アセットＡに依存する。具体的には、ＭＰＴ（ＭＰテーブル）において、アセットＢの情報を記述する記述子領域に依存関係記述子を挿入し、依存先としてアセットＡのアセットＩＤを記述する。また、アセットＡとアセットＢのいずれにもＭＰＵタイムスタンプ記述子とＭＰＵ拡張タイムスタンプ記述子を付加する。ＭＰＵタイムスタンプ記述子は、ＭＰＵ内において提示順序で最初のアクセスユニットの提示時刻をＮＴＰタイムスタンプ形式で提供する。また、ＭＰＵ拡張タイムスタンプ記述子は、ＭＰＵにおいて、復号順序で最初のアクセスユニットの復号時刻と提示順序で最初のアクセスユニットの提示時刻との差分値（mpu_decoding_time_offset）や、各アクセスユニットの復号時刻と提示時刻の差分値（dts_pts_offest）、さらに、同一ＭＰＵ内における提示順序で直前のアクセスユニットの提示時刻と現在のアクセスユニットの提示時刻の差分値（pts_offset）を、タイムスケールを単位時間とする値で提供する。
アセットＡとアセットＢが伝送されるネットワーク及びパケットＩＤは、ＭＰＴのロケーション情報によりアセットごとに示される。
【００２３】
[ＭＭＴパッケージテーブル]
次に、ＭＰＴと、ＭＰＴに含まれる情報とについて説明する。なお、ここでは、説明を簡潔にするため、テーブルと、テーブルに含まれる情報とについての説明は、時間階層符号化に係る一部のテーブルについてのみに留めるが、放送システム１は、ＭＭＴ方式に係る全てのメッセージ、テーブル、及び記述子などの情報を扱うことができる。
まず、ＭＰＴのデータ構造について説明する。
図３は、本実施形態に係るＭＰＴのデータ構造を示す概略図である。
ＭＰＴは、ロケーション情報（MMT_general_location_info）と、アセット記述子領域（asset_descriptors_byte）とをアセットごとに含む。
ロケーション情報は、アセットのロケーション情報を示す。
アセット記述子領域は、アセットについての情報を記述する記述子を格納する領域である。
【００２４】
[ロケーション情報]
次に、ロケーション情報について説明する。
図４は、本実施形態に係るロケーション情報のデータ構造を示す概略図である。
ロケーション情報は、ロケーションタイプ（location_type）を含む。
ロケーションタイプは、ロケーション情報の種類を示す。具体的には、ロケーションタイプの値が「０ｘ００」である場合は、そのロケーション情報を含むテーブルが伝送されるＩＰデータフローと同一のＩＰデータフローのＭＭＴＰパケットを示す。また、ロケーションタイプの値が「０ｘ０１」である場合は、ＩＰｖ４データフローのＭＭＴＰパケットを示す。また、ロケーションタイプの値が「０ｘ０２」である場合は、ＩＰｖ６データフローのＭＭＴＰパケットを示す。また、ロケーションタイプの値が「０ｘ０３」である場合は、ＭＰＥＧ−２ＴＳ（Moving Picture Experts Group-2 Transport Stream）の放送ネットワークのＭＰＥＧ−２ＴＳパケットを示す。また、ロケーションタイプの値が「０ｘ０４」である場合は、ＩＰｖ６データフローのＭＰＥＧ−２ＴＳパケットを示す。また、ロケーションタイプの値が「０ｘ０５」である場合は、ＵＲＬを示す。
【００２５】
[ＭＨ−ＨＥＶＣビデオ記述子]
次に、ＭＨ−ＨＥＶＣビデオ記述子について説明する。
ＭＨ−ＨＥＶＣビデオ記述子は、ＩＴＵ−Ｔ勧告Ｈ．２６５｜ＩＳＯ／ＩＥＣ  ２３００８−２の映像ストリーム（ＨＥＶＣストリーム）の基本的な符号化パラメータを記述するために用いる。
図５は、本実施形態に係るＭＨ−ＨＥＶＣビデオ記述子のデータ構造を示す概略図である。
ＭＨ−ＨＥＶＣビデオ記述子は、時間階層サブセットフラグ（temporal_layer_subset_
flag）を含む。
時間階層サブセットフラグは、時間階層サブセットの情報がこの記述子に含まれるか否かを示す。具体的には、時間方向階層符号化のサブセット及びサブビットストリームの情報を含む場合、時間階層サブセットフラグの値は「１」である。これに対し、時間方向階層符号化のサブセット及びサブビットストリームの情報を含まない場合、時間階層サブセットフラグの値は「０」である。
【００２６】
[映像コンポーネント記述子]
次に、映像コンポーネント記述子について説明する。
映像コンポーネント記述子は、映像コンポーネントに関するパラメータや説明を示し、エレメンタリストリームを文字形式で表現するためにも利用される。
図６は、本実施形態に係る映像コンポーネント記述子のデータ構造を示す概略図である。
映像コンポーネント記述子は、映像信号解像度（video_resolution）と、映像信号アスペクト比（video_aspect_ratio）と、映像スキャンフラグ（video_scan_flag）と、映像信号フレームレート（video_frame_rate）とを含む。
【００２７】
映像信号解像度は、映像信号の垂直方向の解像度を表す。具体的には、例えば、映像信号解像度の値が「６」である場合には、映像信号の垂直方向の解像度は２１６０ｐ、すなわち、４Ｋである。また、例えば、映像信号解像度の値が「７」である場合には、映像信号の垂直方向の解像度は４３２０ｐ、すなわち、８Ｋである。本実施形態において、番組は８Ｋであるため、映像信号解像度の値は「７」である。また、４Ｋの番組について時間方向階層符号化が行われる場合は、映像信号解像度の値は「６」である。
映像信号アスペクト比は、映像信号のアスペクト比を表す。具体的には、映像信号アスペクト比の値が「３」である場合には、アスペクト比はパンベクトルなしの「１６：９」である。
【００２８】
映像スキャンフラグは、映像信号の走査方式を表す。具体的には、映像スキャンフラグの値が「０」である場合、映像信号はインターレース信号である。また、映像スキャンフラグの値が「１」である場合、映像信号はプログレッシブ信号である。
映像信号フレームレートは、映像信号のフレームレートを表す。具体的には、映像信号フレームレートの値が「７」である場合、映像信号のフレームレートは「５０Ｈｚ」である。また、映像信号フレームレートの値が「８」である場合、映像信号のフレームレートは「６０／１．００１Ｈｚ」である。また、映像信号フレームレートの値が「１０」である場合、映像信号のフレームレートは「１００Ｈｚ」である。また、映像信号フレームレートの値が「１１」である場合、映像信号のフレームレートは「１２０／１．００１Ｈｚ」である。従って、６０／Ｐサブビットストリームについての映像信号フレームレートの値は、「７」又は「８」である。また、１２０／Ｐサブセットについての映像信号フレームレートの値は、「１０」又は「１１」である。
【００２９】
[依存関係記述子]
次に、依存関係記述子について説明する。
依存関係記述子は、依存関係にあるアセットのアセットＩＤを記述する。つまり、依存関係記述子は、アセット間の依存関係を記述する。
図７は、本実施形態に係る依存関係記述子のデータ構造を示す概略図である。
依存関係記述子は、依存アセット数（num_dependencies）と、アセットＩＤ形式（asset_id_scheme）と、アセットＩＤ長（asset_id_length）と、アセットＩＤバイト（asset_id_byte）とを含む。
【００３０】
依存アセット数は、この記述子が挿入されるアセットと相補的な関係にあるアセットの数を示す。本実施形態において、６０／Ｐサブビットストリームと、１２０／Ｐサブセットとは、互いに相補的であるため、依存アセット数の値は「１」である。
アセットＩＤ形式は、相補的なアセットのアセットＩＤの形式を示す。
アセットＩＤ長は、相補的なアセットのアセットＩＤバイトの長さをバイト単位で示す。
アセットＩＤバイトは、相補的なアセットのアセットＩＤを示す。上述したように、本実施形態において、６０／Ｐサブビットストリームと、１２０／Ｐサブセットとは、互いに相補的である。従って、６０／Ｐサブビットストリームのアセットに関するアセットＩＤバイトの領域には、１２０／ＰサブセットのアセットＩＤが記述される。１２０／Ｐサブセットのアセットに関するアセットＩＤバイトの領域には、６０／ＰサブビットストリームのアセットＩＤが記述される。
【００３１】
［受信装置の機能構成］
次に、受信装置１０の機能構成について説明する。
図８は、本実施形態に係る受信装置１０の機能構成の一例を示すブロック図である。
受信装置１０は、放送受信部１１と、通信部１２と、音声出力部１４と、表示部１５と、記憶部１６と、制御部１７と、を含んで構成される。制御部１７は、復調部１７１と、分離合成部１７２と、音声処理部１７３と、表示処理部１７４と、を含んで構成される。また、表示処理部１７４は、映像処理部１７５と、ネットワーク接続判定部１７６と、階層符号化判定部１７７と、通知処理部１７８と、を含んで構成される。
【００３２】
放送受信部１１は、チューナーを含む。放送受信部１１は、放送側送信装置２０から送出された放送波を受信する。放送受信部１１は、受信した放送波に含まれる放送信号を復調部１７１に出力する。
通信部１２は、ネットワークインターフェースを含み、ネットワークＮＷ（図１）に接続する。通信部１２は、ネットワークＮＷに接続する他の装置との間で情報を送受信する。
【００３３】
音声出力部１４は、スピーカーを含む。音声出力部１４は、音声処理部１７３から取得した音声信号に基づいて音声を再生する。
表示部１５は、液晶ディスプレイ、有機ＥＬディスプレイなどのディスプレイを含む。表示部１５は、表示処理部１７４から取得した映像信号に基づいて、番組の映像や電子番組表などの画像を表示する。
記憶部１６は、例えば、ＲＯＭ（Read Only Memory）、ＲＡＭ（Random Access Memory）を含み、その他に不揮発メモリ、ＨＤＤ（Hard Disk Drive）などを含むことができる。記憶部１６は、受信装置１０が含むＣＰＵ（Central Processing Unit）が実行するための各種プログラムやＣＰＵが実行した処理の結果などを記憶する。また、記憶部１６は、ビデオメモリを含み、表示部１５が表示する映像を示す映像信号を記憶する。
【００３４】
復調部１７１は、放送受信部１１から受信した放送信号を復調する。復調部１７１は、復調した放送信号を分離合成部１７２に出力する。
分離合成部１７２は、復調部１７１から取得した放送信号に含まれる各種情報を分離して、分離された各種情報を各機能部に出力する。具体的には、分離合成部１７２は、放送信号から６０／Ｐサブビットストリームとその他の番組情報等を分離する。分離合成部１７２は、通信部１２を介して取得した各種情報を分離して、分離された各種情報を各機能部に出力する。具体的には、分離合成部１７２は、１２０／Ｐサブセットを分離する。分離合成部１７２は、６０／Ｐサブビットストリームと１２０／Ｐサブセットとを合成し、１２０／Ｐサブビットストリームを生成して映像処理部１７５に出力する。音声信号は、放送信号と通信部１２から得られた信号から、必要な言語等に応じて音声信号のアセットを分離合成部１７２で分離し、音声処理部１７３に出力する。
【００３５】
なお、分離合成部１７２は、通信部１２を介して１２０／Ｐサブセットが取得できない場合、６０／Ｐサブビットストリームから１２０／Ｐサブビットストリームをアップコンバートにより生成してもよい。このとき、欠落しているフレームを埋めるための手段には、任意の公知の技術を適用できる。また、分離合成部１７２は、１２０／Ｐサブセットの一部でも取得できる場合には、取得した１２０／Ｐサブセットを１２０／Ｐサブビットストリームへのアップコンバートに用いてもよい。この場合、例えば、分離合成部１７２は、６０／Ｐサブビットストリームに、取得できた１２０／Ｐサブセットを合成する。そして、合成したサブビットストリームのうち、１２０／Ｐサブビットストリームに対して欠落しているフレームを埋める。また、ここでは、通信を介して取得されるアセットが不完全である場合について説明したが、放送を介して取得されるアセットが不完全である場合についても同様である。例えば、分離合成部１７２は、６０／Ｐサブビットストリームと１２０／Ｐサブセットとの両方が不完全である場合には、これらを合成した後、欠落しているフレームを埋める処理を行う。このように、受信装置１０は、エラー率の異なる複数の伝送路を介して送信されたアセットに基づいて、１２０／Ｐサブビットストリームを合成することにより、単一の伝送路を介して送信されたアセットに基づいて１２０／Ｐサブビットストリームを合成する場合に比して、より安定的に高精細の番組を表示することができる。
【００３６】
音声処理部１７３は、分離合成部１７２から音声信号を取得し、取得した音声信号を復号化する。音声処理部１７３は、復号化した音声信号を音声出力部１４に出力する。これにより、音声出力部１４は、番組の音声を再生する。
表示処理部１７４は、表示部１５における番組の映像の表示や表示部１５を介した通知を制御する。ここで、通知とは、通信部１２による情報取得における不具合をユーザに報知する通知を含む。
表示処理部１７４の映像処理部１７５は、分離合成部１７２から映像信号を取得し、取得した映像信号を復号化する。映像処理部１７５は、復号化した映像信号を表示部１５に出力する。これにより、表示部１５は、番組の映像を表示する。
【００３７】
表示処理部１７４のネットワーク接続判定部１７６は、通信部１２を介したアセットの取得が可能か否かを判定する。このとき、ネットワーク接続判定部１７６は、所定のタイムアウト期間内にアセットが取得できない場合に、アセットの取得ができないと判定する。また、ネットワーク接続判定部１７６は、通信部１２を介したアセットの取得ができない場合、その原因を特定する。具体的には、例えば、ネットワーク接続判定部１７６は、通信側送信装置３０と受信装置１０との間を結ぶ通信回線のうち、アセットの伝達が阻害されている部位を特定可能である。また、例えば、ネットワーク接続判定部１７６は、通信側送信装置３０の故障などによる１２０／Ｐサブセットの送信不良を特定可能である。また、例えば、ネットワーク接続判定部１７６は、自装置の物理的又は論理的な設定不良による通信部１２とネットワークＮＷとの接続不良を特定可能である。ネットワーク接続判定部１７６は、通信部１２を介したアセットの取得ができない場合、その旨を通知処理部１７８に送信する。
【００３８】
表示処理部１７４の階層符号化判定部１７７は、分離合成部１７２から取得した番組情報に基づいて、自装置が表示する番組が時間方向階層符号化されているか否かを判定する。以下では、この判定処理を階層符号化判定処理と称する。階層符号化判定部１７７は、自装置が表示する番組を伝送するアセットが、通信により（ネットワークＮＷを介して）送信されるか否かを判定する。以下では、この処理を通信伝送判定処理と称する。
【００３９】
ここで、階層符号化判定部１７７による階層符号化判定処理について説明する。
階層符号化判定部１７７は、ＭＰＴのアセット記述子領域に時間方向階層符号化に特有の情報が記述されているか否かを判定することにより、表示部１５に表示させる番組が時間方向階層符号化されているか否かを判定する。ここで、上述したように、本実施形態に係る番組は、フレーム周波数が１２０Ｈｚ、解像度が８Ｋの番組であり、ＨＥＶＣ技術により６０／Ｐサブビットストリームと１２０／Ｐサブセットとに符号化されている。従って、ここでいう時間方向階層符号化に特有の情報とは、フレーム周波数が１２０Ｈｚ、解像度が８Ｋであること、ＨＥＶＣ技術により６０／Ｐサブビットストリームと１２０／Ｐサブセットとに符号化されていること、などを示す情報である。
【００４０】
具体的には、階層符号化判定部１７７は、自装置が表示する番組のアセットについて、そのアセット記述子領域にＭＨ−ＨＥＶＣビデオ記述子、映像コンポーネント記述子、及び依存関係記述子がＭＰＴ内に存在しているか否かを判定する。これらの記述子が存在している場合、階層符号化判定部１７７は、ＭＨ−ＨＥＶＣビデオ記述子に、アセットが６０／Ｐサブビットストリームと１２０／Ｐサブセットとに符号化されている番組の一部であることが記述されているか否かを判定する。また、階層符号化判定部１７７は、映像コンポーネント記述子に、フレーム周波数が１２０Ｈｚで解像度が８Ｋである番組のアセットであることが記述されているか否かを判定する。また、階層符号化判定部１７７は、依存関係記述子に、アセットが６０／Ｐサブビットストリームのアセットである場合には、１２０／Ｐサブセットの相補的なアセットであることが記述されているか否かを判定する。また、階層符号化判定部１７７は、アセットが１２０／Ｐサブセットのアセットである場合には、６０／Ｐサブビットストリームに相補的なアセットであることが記述されているか否かを判定する。
【００４１】
次に、階層符号化判定部１７７による通信伝送判定処理について説明する。
階層符号化判定部１７７は、自装置が表示する番組のアセットについて、ＭＰＴのロケーション情報の記述を参照することにより、アセットが通信により送信されるか否かを判定する。具体的には、階層符号化判定部１７７は、ロケーション情報のロケーションタイプの値を取得する。そして、階層符号化判定部１７７は、ロケーションタイプがＩＰｖ４データフローのＭＭＴＰパケット、ＩＰｖ６データフローのＭＭＴＰパケット、又は、ＩＰｖ６データフローのＭＰＥＧ−２ＴＳパケットを示す場合に、アセットが通信により送信されると判定する。本実施形態では、１２０／Ｐサブセットが通信により送信されるため、階層符号化判定部１７７は、１２０／Ｐサブセットを伝送するアセットのロケーション情報を参照して、通信伝送判定処理を行う。
【００４２】
表示処理部１７４の通知処理部１７８は、番組が時間階層符号化されてネットワークＮＷを介して伝送されており、その番組のアセットがネットワークＮＷを介して取得できない場合にユーザに対する通知を生成する。この通知は、例えば、ネットワークＮＷを介してアセットを取得することができれば、受信装置１０は、より高精細な映像を表示することができることを示す。また、この通知には、情報がネットワークＮＷを介して取得できないことの原因を示す情報が含まれてよい。通知処理部１７８は、生成した通知を表示部１５に表示させる。この場合、表示部１５には、６０／Ｐサブビットストリームを復号化した番組と同時に、通知がメッセージなどにより表示される。
【００４３】
なお、この通知は、予め定められたタイミングで行われてもよい。具体的には、通知は、例えば、受信装置１０の電源が投入され番組の表示が開始されたとき、ある番組の放送時間が終了して次の番組が開始されたとき、又は、選局の切り換えにより表示する番組が変更されたときから一定期間行われる。
なお、この通知は、メッセージ以外の態様で示されてもよい。具体的には、例えば、通知はネットワーク接続できていない旨を示すアイコン画像などにより行われてもよい。また、通知は、例えば、受信装置１０の筐体に備えられたＬＥＤ（Light Emitting Diode）の発光や点滅などにより行われてもよい。また、通知は、例えば、音声によりアナウンスされてもよい。また、通知は、例えば、番組とは別に、受信装置１０のメニュー画面などにおけるお知らせ（お知らせメニュー）により行われてもよい。
【００４４】
［受信装置の動作］
次に、図９及び図１０を参照して、受信装置１０の動作について説明する。
図９は、本実施形態に係る受信装置による処理の流れの一例を示すフローチャートである。
（ステップＳ１０１）表示処理部１７４は、階層符号化判定処理により、表示部１５に表示させる番組が時間方向階層符号化されているか否かを判定する。より具体的には、ＭＰＴのアセット記述子領域に時間方向階層符号化に特有の情報が記述されているか否かを判定する。番組が時間方向階層符号化されている場合（ステップＳ１０１；ＹＥＳ）、表示処理部１７４は、ステップＳ１０２に処理を進める。また、番組が時間方向階層符号化されていない場合（ステップＳ１０１；ＮＯ）、表示処理部１７４は、図９に示される処理を終了する。
【００４５】
（ステップＳ１０２）表示処理部１７４は、通信伝送判定処理により、番組のアセットが通信（ネットワークＮＷ）を介して伝送されるか否かを判定する。具体的には、表示処理部１７４は、アセットのＭＰＴを参照し、ロケーション情報内のロケーションタイプの値が「０ｘ０１」、「０ｘ０２」、又は「０ｘ０４」のいずれかであるか否かを判定する。ロケーションタイプの値が「０ｘ０１」、「０ｘ０２」、又は「０ｘ０４」のいずれかである場合、表示処理部１７４は、番組のアセットが通信を介して伝送されると判定し（ステップＳ１０２；ＹＥＳ）、ステップＳ１０３に処理を進める。また、ロケーションタイプの値が「０ｘ０１」、「０ｘ０２」、又は「０ｘ０４」以外である場合、表示処理部１７４は、番組のアセットが通信を介して伝送されないと判定し（ステップＳ１０２；ＮＯ）、図９に示される処理を終了する。
【００４６】
（ステップＳ１０３）表示処理部１７４は、ＭＰＴにより通信を介して伝送されることが記述されているアセットを取得できているか否かを判定する。アセットが取得できている場合（ステップＳ１０３；ＹＥＳ）、表示処理部１７４は、図９に示される処理を終了する。また、アセットが取得できていない場合（ステップＳ１０３；ＮＯ）、表示処理部１７４は、ステップＳ１０４に処理を進める。
（ステップＳ１０４）表示処理部１７４は、通信を介したアセットの取得ができていない旨の通知を表示部１５に表示させる。そして、表示処理部１７４は、図９に示される処理を終了する。
【００４７】
図１０は、実施形態に係る受信装置による階層符号化判定処理の流れの一例を示すフローチャートである。
図１０に示す処理は、図９のステップＳ１０１における階層符号化判定処理に対応する。
（ステップＳ２０１）表示処理部１７４は、番組のアセットについて、ＭＨ−ＨＥＶＣビデオ記述子、映像コンポーネント記述子、及び依存関係記述子がＭＰＴに格納されているか否かを判定する。これらの記述子がＭＰＴに格納されている場合（ステップＳ２０１；ＹＥＳ）、表示処理部１７４は、ステップＳ２０２に処理を進める。また、これらの記述子がＭＰＴに格納されていない場合（ステップＳ２０１；ＮＯ）、表示処理部１７４は、ステップＳ２０６に処理を進める。
【００４８】
（ステップＳ２０２）表示処理部１７４は、ＭＨ−ＨＥＶＣ記述子において、時間方向階層符号化を示すパラメータ値が記述されているか否かを判定する。具体的には、表示処理部１７４は、ＭＨ−ＨＥＶＣ記述子の時間階層サブセットフラグを参照し、その値が「１」であるか否かを判定する。時間階層サブセットフラグの値が「１」である場合、すなわち、時間方向階層符号化を示すパラメータ値が記述されている場合（ステップＳ２０２；ＹＥＳ）、表示処理部１７４は、ステップＳ２０３に処理を進める。また、時間階層サブセットフラグの値が「０」である場合、すなわち、時間方向階層符号化を示すパラメータ値が記述されていない場合（ステップＳ２０２；ＮＯ）、表示処理部１７４は、ステップＳ２０６に処理を進める。
【００４９】
（ステップＳ２０３）表示処理部１７４は、映像コンポーネント記述子において、時間階層方向符号化を示すパラメータ値が記述されているか否かを判定する。具体的には、表示処理部１７４は、映像コンポーネント記述子の映像信号解像度と、映像信号アスペクト比と、映像スキャンフラグと、映像信号フレームレートとを参照する。そして、表示処理部１７４は、映像信号解像度の値が「６」又は「７」であり、映像信号アスペクト比の値が「３」であり、映像スキャンフラグの値が「１」であり、且つ、映像信号フレームレートの値が「７」、「８」、「１０」、又は「１１」のいずれかであるか否かを判定する。映像信号解像度と、映像信号アスペクト比と、映像スキャンフラグと、映像信号フレームレートとの値が上述した値である場合（ステップＳ２０３；ＹＥＳ）、表示処理部１７４は、ステップＳ２０４に処理を進める。また、映像信号解像度と、映像信号アスペクト比と、映像スキャンフラグと、映像信号フレームレートとの値が上述した値ではない場合（ステップＳ２０３；ＮＯ）、表示処理部１７４は、ステップＳ２０６に処理を進める。
【００５０】
（ステップＳ２０４）表示処理部１７４は、依存関係記述子において、時間方向階層符号化を示すパラメータ値が記述されているか否かを判定する。具体的には、表示処理部１７４は、依存関係記述子の依存アセット数と、アセットＩＤバイトとを参照する。そして、依存アセット数の値が「１」であり、且つ、アセットＩＤバイトの値が、相補的なアセットを示すアセットＩＤである場合（ステップＳ２０４；ＹＥＳ）、表示処理部１７４は、ステップＳ２０５に処理を進める。ここで、相補的なアセットとは、１２０／Ｐサブセットのアセットの場合は、６０／Ｐサブビットストリームのアセットである。また、６０／Ｐサブビットストリームのアセットの場合は、１２０／Ｐサブセットのアセットである。また、依存アセット数の値が「１」以外であり、又は、アセットＩＤバイトの値が相補的なアセットを示すアセットＩＤでない場合（ステップＳ２０４；ＮＯ）、表示処理部１７４は、ステップＳ２０６に処理を進める。
【００５１】
（ステップＳ２０５）表示処理部１７４は、番組が時間方向階層符号化されていると判定する。そして、表示処理部１７４は、図１０に示される処理を終了する。
（ステップＳ２０６）表示処理部１７４は、番組が時間方向階層符号化されていないと判定する。そして、表示処理部１７４は、図１０に示される処理を終了する。
【００５２】
以上説明したように、受信装置１０は、番組を階層化により分離した後の複数の差分情報のうち、６０／Ｐサブビットストリームを含む放送波を受信する放送受信部１１と、ネットワークＮＷに接続する通信側送信装置３０と通信する通信部１２と、複数の差分情報のうち、放送受信部１１により受信されない１２０／Ｐサブセットを、通信部１２が受信可能か否かを判定するネットワーク接続判定部１７６と、を備える。これにより、受信装置１０は、例えば、差分情報の一部が受信できていないことを判定し、ユーザは、放送と通信という伝送路の違いを意識することなく、番組の表示やコンテンツの再生を行うことができる。
［受信装置のハードウェア構成］
次に、受信装置１０のハードウェア構成について説明する。
図１１は、本実施形態に係る受信装置１０のハードウェア構成の一例を示すブロック図である。
受信装置１０は、ＣＰＵ１００、ＲＯＭ１００１、ＲＡＭ１００２、不揮発メモリ１００３、チューナー（Tuner）１０１、ネットワークインターフェース（Network I/F）１０２、復調モジュール（Decrypt）１０３、分離モジュール（Demux）１０４、音声復号モジュール（Audio Decoder）１０５、スピーカー１０６、映像復号モジュール（Video Decoder）１０７、描画モジュール１０８、ビデオメモリ１０８１、及びディスプレイ１０９を含んで構成される。
ＣＰＵ１００と、記憶媒体１００１と、チューナー１０１と、ネットワークインターフェース１０２と、復調モジュール１０３と、分離モジュール１０４と、音声復号モジュール１０５と、映像復号モジュール１０７と、描画モジュール１０８と、ビデオメモリ１０８１とは、バスＢ（母線）を介して相互に接続される。
【００５３】
ＣＰＵ１００は、プログラム、各種データを読み出して、当該ＣＰＵ１００を備える自装置を制御する。ＲＯＭ１００１は、例えば、プログラムを記憶する記憶媒体である。ＲＡＭ１００２は、例えば、各種データ、プログラムを一時的に記憶する記憶媒体である。不揮発メモリは、ＨＤＤ、フラッシュメモリなどの記憶媒体であり、例えば、各種データを記憶する。
【００５４】
ＣＰＵ１００が読み出すプログラムは、ＲＯＭ１００１に記憶されている一例を示したが、他の記憶媒体に記憶されていてもよいし、ネットワークＮＷからダウンロードされたものであってもよい。ＣＰＵ１００が読み出す各種データは、不揮発メモリに記憶されている一例を示したが、ＲＯＭ１００１に記憶されていてもよいし、ネットワークＮＷからダウンロードした各種データであってもよい。
【００５５】
チューナー１０１は、放送波を受信する。ネットワークインターフェース１０２は、通信用インターフェースを有し、有線又は無線によりネットワークＮＷに接続される。復調モジュール１０３は、放送信号を復調する。分離モジュール１０４は、放送信号から各種データを分離する。音声復号モジュール１０５は、符号化された音声信号を復号化する。映像復号モジュール１０７は、符号化された映像信号を復号化する。ビデオメモリは、ディスプレイ１０９に表示される画像情報を記憶する。描画モジュール１０８は、ビデオメモリへの画像情報の書き込みと、ディスプレイ１０９への映像信号の出力とを制御する。
【００５６】
なお、上述した実施形態では、放送システム１がメディアトランスポート方式としてＭＭＴ方式を用いる例について説明したが、これには限られない。放送システム１は、例えば、ＭＰＥＧ−２  ＴＳ方式やＲＴＰ（Real-time Transport Protocol）方式をメディアトランスポート方式に用いてもよい。トランスポート方式に、ＭＰＥＧ−２  ＴＳ方式を用いる場合、番組情報は、例えば、ＰＳＩ（番組特定情報、Program Specific Information）／ＳＩ（サービス情報、Service Information）である。
【００５７】
なお、階層符号化は、上述した実施形態において説明した例に限られない。例えば、番組の解像度は、４Ｋであってもよいし、８Ｋより高精細の解像度であってよい。また、例えば、番組のフレーム周波数は１２０Ｈｚ以外であってもよい。また、番組は、階層符号化により３つ以上の複数に分離されてもよい。また、差分情報は、経路の異なる複数の通信路により送信されてもよい。また、階層符号化は、時間軸方向以外に行われてもよい。
なお、上述した実施形態において、番組情報は、外部の通信側送信装置３０から、通信を介して取得されてもよい。
なお、上述した実施形態において、階層符号化判定処理は異なる方法で行われてもよい。具体的には、例えば、図１０のステップＳ２０３の処理は省略されてもよい。このように、受信装置１０は、一部のパラメータ値の参照に基づいて、番組が時間方向階層符号化されているか否かを判定してもよい。
【００５８】
なお、上述した各実施形態における受信装置１０の一部、例えば、制御部１７及びその一部などをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、受信装置１０に内蔵されたコンピュータシステムであって、ＯＳ（Operating System）や周辺機器等のハードウェアを含むものとする。
【００５９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００６０】
また、上述した実施形態における受信装置１０の一部、又は全部を、ＬＳＩ（Large Scale Integration）等の集積回路として実現してもよい。受信装置１０の各機能部は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【００６１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６２】
１…放送システム、１０…受信装置、２０…送信装置、３０…通信側送信装置、ＢＳ…放送衛星、ＮＷ…ネットワーク、１１…放送受信部、１２…通信部、１４…音声出力部、１５…表示部、１６…記憶部、１７…制御部、１７１…復調部、１７２…分離合成部、１７３…音声処理部、１７４…表示処理部、１７５…映像処理部、１７６…ネットワーク接続判定部、１７７…階層符号化判定部、１７８…通知処理部
【図１】
0006450968.tif 000002
【図２】
0006450968.tif 000003
【図３】
0006450968.tif 000004
【図４】
0006450968.tif 000005
【図５】
0006450968.tif 000006
【図６】
0006450968.tif 000007
【図７】
0006450968.tif 000008
【図８】
0006450968.tif 000009
【図９】
0006450968.tif 000010
【図１０】
0006450968.tif 000011
【図１１】
0006450968.tif 000012
【図１２】
0006450968.tif 000013